(57)【要約】【課題】いかなる場合も効率よく処方箋の情報を認識することが可能な自動薬剤供給装置および薬剤供給方法を提供する。【解決手段】薬剤を収納するボックスを複数配列可能に構成された収納部と、ボックスから薬剤を出し入れする薬剤ピッキング部１３と、ボックスが収納部と薬剤ピッキング部との間を移動できるように構成されたボックス移動機構と、各種情報を表示可能な表示部１５と、を備え、収納部が装置前面側に配設されているとともに、ボックス移動機構が装置背面側に配設されている自動薬剤供給装置１０であって、処方箋の情報を紙片に出力可能な出力装置１７が表示部に併設されている。【選択図】図１
2011078599.tif 000002
【特許請求の範囲】
【請求項１】
薬剤を収納するボックスを複数配列可能に構成された収納部と、
前記ボックスから前記薬剤を出し入れする薬剤ピッキング部と、
前記ボックスが前記収納部と前記薬剤ピッキング部との間を移動できるように構成されたボックス移動機構と、
各種情報を表示可能な表示部と、を備え、
前記収納部が装置前面側に配設されているとともに、前記ボックス移動機構が装置背面側に配設されている自動薬剤供給装置であって、
処方箋の情報を紙片に出力可能な出力装置が前記表示部に併設されていることを特徴とする自動薬剤供給装置。
【請求項２】
前記出力装置が、前記薬剤ピッキング部から処方された薬剤を収納するトレイを載置するトレイ載置台の上方に設けられていることを特徴とする請求項１に記載の自動薬剤供給装置。
【請求項３】
前記出力装置は、前記薬剤および前記ボックスの少なくともいずれか一方に対応したコードを前記紙片に出力可能に構成されていることを特徴とする請求項１または２に記載の自動薬剤供給装置。
【請求項４】
前記出力装置は、前記処方箋に前記収納部に収納されていない未収納薬剤が有る場合に、該未収納薬剤の情報を出力可能に構成されていることを特徴とする請求項１〜３のいずれかに記載の自動薬剤供給装置。
【請求項５】
薬剤を収納するボックスを複数配列可能に構成された収納部と、
前記ボックスから前記薬剤を出し入れする薬剤ピッキング部と、
前記ボックスが前記収納部と前記薬剤ピッキング部との間を移動できるように構成されたボックス移動機構と、
各種情報を表示可能な表示部と、を備え、
前記収納部が装置前面側に配設されているとともに、前記ボックス移動機構が装置背面側に配設されている自動薬剤供給装置の薬剤供給方法であって、
処方箋の情報を紙片に出力可能な出力装置が前記表示部に併設されており、
前記処方箋に対応して処方する薬剤が収納された前記ボックスを前記収納部から前記薬剤ピッキング部へと前記ボックス移動機構により移動する工程と、
前記薬剤ピッキング部から必要分量の薬剤を取り出した後、前記ボックスを前記薬剤ピッキング部から前記収納部へと前記ボックス移動機構により移動する工程と、
前記処方箋に対応した薬剤の処方を終了した後、前記表示部を操作することにより出力された信号を検出する工程と、
該検出信号に基づいて前記出力装置から前記処方箋の情報を紙片に出力する工程と、を備えていることを特徴とする薬剤供給方法。
【発明の詳細な説明】
【技術分野】
【０００１】
本発明は、自動薬剤供給装置に関するものである。
【背景技術】
【０００２】
従来から、各種薬剤を種類ごとにボックスに入れ、それらのボックスを収納するとともに、患者の処方箋に沿ってボックスを自動的に取り出し、薬剤を必要分量だけ取り出した後、再度ボックスを所定の位置に収納する自動薬剤供給装置が知られている（例えば、特許文献１参照）。
このような自動薬剤供給装置においては、ピッキングした薬剤を収集した後、患者ごとに用意したトレイに薬剤をまとめておく必要がある。しかしながら、処方箋の情報をレセプトＰＣからデータとして受け取り、該データに基づいて自動で薬剤を選別できるようにした自動薬剤供給装置においては、必ずしも処方箋情報を紙情報として準備する必要はないため、トレイに患者を特定する表示がなく、分かりづらいという問題がある。
【先行技術文献】
【特許文献】
【０００３】
【特許文献１】特開２００７−２１５５７５号公報
【発明の概要】
【発明が解決しようとする課題】
【０００４】
そこで、それらの問題を解消するために特許文献１では、トレイにＩＤタグを搭載し、このＩＤタグに情報を書き込み、リーダで読むことで情報を照合するという構成を採用している。
しかしながら、このような構成ではリーダで情報を読み取らない限り、その情報を認識することができず、至急を要する場合などに手間がかかるという問題がある。
【０００５】
そこで、本発明は、上述の事情に鑑みてなされたものであり、いかなる場合も効率よく処方箋の情報を認識することが可能な自動薬剤供給装置および薬剤供給方法を提供するものである。
【課題を解決するための手段】
【０００６】
上記の課題を解決するために、本発明は以下の手段を提供する。
本発明に係る自動薬剤供給装置は、薬剤を収納するボックスを複数配列可能に構成された収納部と、前記ボックスから前記薬剤を出し入れする薬剤ピッキング部と、前記ボックスが前記収納部と前記薬剤ピッキング部との間を移動できるように構成されたボックス移動機構と、各種情報を表示可能な表示部と、を備え、前記収納部が装置前面側に配設されているとともに、前記ボックス移動機構が装置背面側に配設されている自動薬剤供給装置であって、処方箋の情報を紙片に出力可能な出力装置が前記表示部に併設されていることを特徴としている。
【０００７】
このように構成することで、患者ごとの処方箋の情報を表示部に表示することができるとともに、出力装置から紙片としても得ることができる。したがって、処方箋の情報が記載された紙片を処方された薬剤が入れられているトレイに入れておくことで、そのトレイがどの患者のものかを瞬時に認識することができる。つまり、いかなる場合も効率よく処方箋の情報を認識することができる。
また、出力装置を表示部に併設することにより、表示部を操作して出力装置から出力される紙片を表示部の前に居ながら取り出すことができる。つまり、作業効率を低下させることなく、紙片を取り出すことができる。
【０００８】
また、前記出力装置が、前記薬剤ピッキング部から処方された薬剤を収納するトレイを載置するトレイ載置台の上方に設けられていることを特徴としている。
【０００９】
このように構成することで、トレイ載置台の上方に表示部および出力装置が配されているため、表示部を操作して出力装置から出力される紙片を表示部の前に居ながら取り出すことができるとともに、その紙片を即座にトレイに入れることができる。つまり、作業効率を低下させることなく、紙片を取り出して、その紙片を該当する患者のトレイに確実に入れることができる。
【００１０】
また、前記出力装置は、前記薬剤および前記ボックスの少なくともいずれか一方に対応したコードを前記紙片に出力可能に構成されていることを特徴としている。
【００１１】
このように構成することで、例えば患者に処方した薬剤を渡す際に、ジェネリック薬剤に交換したいと要望された場合に、コードをリーダで読み取ることにより、処方した薬剤が収納されたボックスを自動的に選択して薬剤ピッキング部に搬送することができる。したがって、薬剤を元のボックスに戻す作業の作業効率を向上することができる。
【００１２】
また、前記出力装置は、前記処方箋に前記収納部に収納されていない未収納薬剤が有る場合に、該未収納薬剤の情報を出力可能に構成されていることを特徴としている。
【００１３】
このように構成することで、収納部に収納されていない特殊な薬剤（未収納薬剤）が処方される場合に、未収納薬剤の有無を紙片を見るだけで瞬時に確認することができる。したがって、未収納薬剤がある場合にも渡し忘れをすることなく、確実に患者に薬剤を処方することができる。
【００１４】
そして、本発明に係る薬剤供給方法は、薬剤を収納するボックスを複数配列可能に構成された収納部と、前記ボックスから前記薬剤を出し入れする薬剤ピッキング部と、前記ボックスが前記収納部と前記薬剤ピッキング部との間を移動できるように構成されたボックス移動機構と、各種情報を表示可能な表示部と、を備え、前記収納部が装置前面側に配設されているとともに、前記ボックス移動機構が装置背面側に配設されている自動薬剤供給装置の薬剤供給方法であって、処方箋の情報を紙片に出力可能な出力装置が前記表示部に併設されており、前記処方箋に対応して処方する薬剤が収納された前記ボックスを前記収納部から前記薬剤ピッキング部へと前記ボックス移動機構により移動する工程と、前記薬剤ピッキング部から必要分量の薬剤を取り出した後、前記ボックスを前記薬剤ピッキング部から前記収納部へと前記ボックス移動機構により移動する工程と、前記処方箋に対応した薬剤の処方を終了した後、前記表示部を操作することにより出力された信号を検出する工程と、該検出信号に基づいて前記出力装置から前記処方箋の情報を紙片に出力する工程と、を備えていることを特徴としている。
【００１５】
このように構成することで、患者ごとの処方箋の情報を表示部に表示することができるとともに、出力装置から紙片としても得ることができる。したがって、処方箋の情報が記載された紙片を処方された薬剤が入れられているトレイに入れておくことで、そのトレイがどの患者のものかを瞬時に認識することができる。つまり、いかなる場合も効率よく処方箋の情報を認識することができる。
また、出力装置を表示部に併設することにより、表示部を操作して出力装置から出力される紙片を表示部の前に居ながら取り出すことができる。つまり、作業効率を低下させることなく、紙片を取り出すことができる。
【発明の効果】
【００１６】
本発明に係る自動薬剤供給装置によれば、患者ごとの処方箋の情報を表示部に表示することができるとともに、出力装置から紙片としても得ることができる。したがって、処方箋の情報が記載された紙片を処方された薬剤が入れられているトレイに入れておくことで、そのトレイがどの患者のものかを瞬時に認識することができる。つまり、いかなる場合も効率よく処方箋の情報を認識することができる。
また、出力装置を表示部に併設することにより、表示部を操作して出力装置から出力される紙片を表示部の前に居ながら取り出すことができる。つまり、作業効率を低下させることなく、紙片を取り出すことができる。
【図面の簡単な説明】
【００１７】
【図１】本発明の実施形態における自動薬剤供給装置の正面図である。
【図２】本発明の実施形態における自動薬剤供給装置の斜視図である。
【図３】本発明の実施形態における自動薬剤供給装置の斜視図であり、カバーを開状態にするとともに、収納部を回動させた状態を示したものである。
【図４】本発明の実施形態における出力装置から出力される紙片のイメージ図である。
【図５】図３の状態の上面図である。
【図６】図１のＡ−Ａ線に沿う断面図である。
【図７】図１のＢ−Ｂ線に沿う断面図である。
【図８】本発明の実施形態におけるボックス移動機構の斜視図である。
【図９】本発明の実施形態における自動薬剤供給装置を用いた薬剤供給システムを示す構成図である。
【発明を実施するための形態】
【００１８】
次に、本発明に係る自動薬剤供給装置および薬剤供給方法の実施形態を図１〜図９に基づいて説明する。
図１〜図３に示すように、自動薬剤供給装置１０は、薬剤が収納されるボックス２１が複数配列される収納部２３およびボックス２１を移動させるボックス移動機構２５が配設された本体部１１と、処方箋などにより選別された薬剤が収納されているボックス２１から該薬剤を所定分量取り出すための薬剤ピッキング部１３と、患者の処方箋情報などを表示しタッチパネル機能を有するモニタ１５と、患者の氏名および処方箋情報などを出力可能なプリンタ１７と、ボックス２１から取り出した薬剤を収納するトレイ（不図示）を載置するトレイ載置台１９と、を備えている。
【００１９】
収納部２３の前面には開閉可能な扉状のカバー３１が設けられている。さらに、カバー３１には施錠部材３３が設けられており、鍵によりカバー３１を施錠することができるようになっている。つまり、通常はカバー３１を施錠しておくことにより、薬剤が収納されたボックス２１を取り出すことができないようになっている。したがって、ボックス２１の位置が移動するのを防止することができる。
【００２０】
なお、本実施形態では、薬剤ピッキング部１３およびモニタ１５が正面視で略中央部に配されており、その両側に収納部２３が配されるように構成されている。このように薬剤ピッキング部１３を正面視略中央部に配することにより、ボックス移動機構２５の移動距離を最短にすることができ、ボックス移動機構２５の長寿命化を図ることができる。
【００２１】
また、薬剤ピッキング部１３には、２個のボックス２１を載置することができるようになっている。ボックス２１が載置される箇所の上面にはボックス２１の開口部を覆うように開閉カバー１４がそれぞれ設けられている。この開閉カバー１４はいずれか一方のみを開状態にすることができる。つまり、薬剤ピッキング部１３に２個のボックス２１が載置されていても、いずれか一方の開閉カバー１４しか開けられないため、薬剤を誤って処方するのを防止することができるようになっている。
【００２２】
また、薬剤ピッキング部１３には、例えば載置されたボックス２１の底面に付されたバーコードを読み取るバーコードリーダ６９が設けられている。薬剤ピッキング部１３にバーコードリーダ６９を設けることにより、ボックス移動機構２５により運ばれてきたボックス２１に収容されている薬剤が、処方する薬剤と一致しているか否かを判定することができる。したがって、万一収納部２３におけるボックス２１の位置が移動してしまったときにも種類の異なる薬剤を誤って処方してしまうのを防止することができる。なお、ボックス２１に付すものはバーコードでなくＩＣチップなどでもよい。この場合は、バーコードリーダの代わりにＩＣリーダを薬剤ピッキング部１３に設ければよい。
【００２３】
さらに、モニタ１５の下部には、照明器具１６が配設されており、薬剤ピッキング部１３およびトレイ載置台１９を照射できるように構成されている。
【００２４】
本実施形態では、モニタ１５の直下にプリンタ１７が配置されている。また、プリンタ１７の下方に薬剤ピッキング部１３およびトレイ載置台１９が位置するように構成されている。このように配置することにより、患者ごとの処方箋情報をモニタ１５に表示することができるとともに、プリンタ１７から紙片７０（図４参照）としても得ることができる。したがって、処方箋情報が記載された紙片７０を、処方された薬剤が入れられているトレイに入れておくことで、そのトレイがどの患者のものかを瞬時に認識することができる。
【００２５】
また、プリンタ１７をモニタ１５の直近に併設することにより、モニタ１５を操作してプリンタ１７から出力される紙片７０をモニタ１５の前に居ながら取り出すことができる。さらに、トレイを載置するトレイ載置台１９の上方にプリンタ１７を配することにより、タッチパネル機能を有するモニタ１５を操作してプリンタ１７から出力される紙片７０をモニタ１５の前に居ながら取り出すことができるとともに、その紙片７０を即座にトレイ載置台１９に載置されたトレイに入れることができる。
【００２６】
ここで、プリンタ１７から出力される紙片７０について説明する。
図４に示すように、プリンタ１７から出力される紙片７０は、患者氏名７１および処方される薬剤の種類７２や分量７３が記載されている。
【００２７】
また、自動薬剤供給装置１０の収納部２３に収納されていない薬剤が処方箋に記載されている場合（例えば、図４における「○○顆粒」）には、その薬剤が収納されている場所などの情報７６（例えば、図４における「収納  棚Ａ−２４」）が表示されるようになっている。このように構成することで、収納部２３に収納されていない特殊な薬剤（未収納薬剤）が処方される場合に、未収納薬剤の有無を紙片７０を見るだけで瞬時に確認することができる。したがって、未収納薬剤がある場合にも渡し忘れをすることなく、確実に患者に薬剤を処方することができる。
【００２８】
さらに、自動薬剤供給装置１０の収納部２３から取り出された薬剤の種類７２や分量７３が印字された下方には、その薬剤のコードまたは該薬剤が収納されているボックス２１のコードに対応したバーコード７５が表示されるようになっている。このようなバーコード７５を表示することで、例えば患者に処方した薬剤を渡す際に、ジェネリック薬剤に交換したいと要望された場合、バーコード７５をバーコードリーダ６８で読み取ることにより、処方した薬剤が収納されたボックス２１を自動的に選択して薬剤ピッキング部１３に搬送することができる。したがって、薬剤を元のボックス２１に戻す作業の作業効率を向上することができる。
【００２９】
次に、図３、図５に示すように、カバー３１は観音開きの扉で構成されている。また、カバー３１と本体部１１とが接触する本体部１１側には、カバー３１の開閉状態を検知する開閉確認センサー３５が設けられている。この開閉確認センサー３５は、ボックス移動機構２５とのインターロック機構に利用されており、開閉確認センサー３５によりカバー３１が開状態と判定された場合には、ボックス移動機構２５の駆動を停止するように構成されている。
【００３０】
また、収納部２３は本体部１１の鉛直方向に沿って設けられた支柱２７を中心に回動可能に構成されている。本実施形態では、支柱２７の両側に収納部２３が配設されており、各収納部２３は支柱２７を中心に平面視で約１８０°回動可能に構成されている。このように構成することにより、収納部２３の装置背面側に配されたボックス移動機構２５のメンテナンスを容易に行うことができる。
【００３１】
図３、図６、図７に示すように、収納部２３は薬剤を収納するボックス２１が縦横に複数配列可能に構成されている。また、収納部２３を本体部１１内に納めた状態で、ボックス２１が全て装置手前側に配されている。つまり、カバー３１を開けると、全てのボックス２１が視認でき、例えばボックス移動機構２５が故障した場合であっても容易に所望の薬剤が収納されたボックス２１を取り出すことができる。さらに、収納部２３におけるボックス２１が配される棚部分には、ボックス２１が落下するのを防止するための段差（不図示）が設けられている。なお、この段差は、ボックス移動機構２５でボックス２１を収納部２３から引き出す際には乗り越えることができる高さで形成されている。なお、図６、図７は収納部２３の表示を省略している。
【００３２】
ここで、収納部２３に配されるボックス２１の装置奥行方向の位置と、薬剤ピッキング部１３に配されるボックス２１の装置奥行方向の位置とは略同一の位置になるように配置構成されている。また、収納部２３の装置背面側にはボックス２１を移動するためのボックス移動機構２５が配設されている。このように構成することにより、ボックス移動機構２５における収納部２３からボックス２１を出し入れする機構および薬剤ピッキング部１３からボックス２１を出し入れする機構を略同一の機構で構成することができる。したがって、ボックス移動機構２５の構成を簡素化することができる。
【００３３】
ここで、ボックス移動機構２５の駆動方法について説明する。
図８に示すように、ボックス移動機構２５は、ボックス２１を鉛直方向に移動させる鉛直軸移動機構４１と、ボックス２１を水平方向に移動させる水平軸移動機構４２と、ボックス２１を載置可能なボックス載置部４３と、を備えている。なお、鉛直軸移動機構４１および水平軸移動機構４２は、例えばモータにより駆動して、ベルトを回転させることによりボックス載置部４３を所望の方向（鉛直方向および水平方向）へと移動させることができる。
【００３４】
また、ボックス載置部４３は鉛直方向に配された移動軸４５に支持されており、移動軸４５に沿ってボックス載置部４３が移動することによりボックス２１は鉛直方向（上下方向）に移動し、移動軸４５が水平方向に移動することによりボックス２１は水平方向（左右方向）に移動するように構成されている。
【００３５】
さらに、ボックス載置部４３には、ボックス２１に形成された被係止部２２と係合可能な爪部４７が形成されており、該爪部４７はボックス載置部４３の奥行方向に移動可能に構成されている。つまり、爪部４７が装置前面側に位置したときにボックス２１の被係止部２２と係止されるように構成され、その状態で爪部４７を装置背面側に移動させることによりボックス２１をボックス載置部４３に載置することができる。そして、ボックス２１を収納部２３と薬剤ピッキング部１３との間で移動させることができるように構成されている。
【００３６】
次に、上述した自動薬剤供給装置１０を駆動するための薬剤供給システムおよび薬剤供給方法について説明する。
図９に示すように、薬剤供給システム５０は、患者の処方箋情報などを認識するレセプトＰＣ５１と、薬剤を自動的に選別して取り出すことができる自動薬剤供給装置１０に設けられた装置制御部５３と、を備えている。装置制御部５３は、ネットワークＩ／Ｆ５４を介してレセプトＰＣ５１に接続されている。
【００３７】
レセプトＰＣ５１は、一般的なパソコンで構成されており、記録部５５を備え、表示部５６、キーボード５７、プリンタ５８およびＩＣタグやバーコードを読み取るためのリーダ５９を備えている。
【００３８】
なお、リーダ５９は、患者が持参してきたレセプト（処方箋）の情報を読み取るものであり、レセプトに付されたＩＣタグやバーコードを読み取ることで患者に処方される薬剤の種類や分量が認識できるようになっている。
【００３９】
患者のレセプトをリーダ５９で読み込むと、その情報は、レセプトＰＣ５１で処理され、患者の名前、その薬剤の種類や分量などの情報が装置制御部５３に送られる。
【００４０】
装置制御部５３は、ＲＡＭなどで構成され患者の名前、薬剤の種類や分量といった処方箋情報を記録する記録部６１を備え、記録部６１からの指示によりボックス移動機構２５を駆動させるように構成されている。さらに、所定の薬剤がどのボックス２１に収納されているかを記憶している薬剤位置記憶部６２と、ボックス移動機構２５の移動管理をする移動管理部６３と、ボックス２１内に残っている薬剤の数量や使用期限などを管理する薬剤情報管理部６４と、を備えている。また、自動薬剤供給装置１０は、各種情報を表示するモニタ１５、処方箋情報を出力するプリンタ１７、ボックス２１に付されたバーコードを読み取るバーコードリーダ６９および補充する薬剤が収容された箱などに付されたバーコードを読み取るバーコードリーダ６８を備えている。
【００４１】
薬剤位置記憶部６２は、収納部２３に配された複数のボックス２１の位置を認識するとともに、所定のボックス２１にはどの薬剤が収納されているかを記憶している。なお、ボックス２１にはＩＣタグやバーコードなどが付されており、特定のボックス２１が収納部２３のどの位置に収納されているものかを記憶できるように構成されている。
【００４２】
つまり、レセプトＰＣ５１から患者の処方箋情報を受領した装置制御部５３は、処方箋情報に基づいて薬剤の種類を特定することで、どこのボックス２１に該当する薬剤が収納されているかを特定し、そのボックス２１が収納部２３のどこの位置に載置されているかを認識することができる。
【００４３】
移動管理部６３は、薬剤位置記憶部６２により所望のボックス２１の位置を認識して、該ボックス２１の移動管理を行うものである。
具体的には、所望のボックス２１が収納部２３のどの位置に存在するかを把握して、効率良くボックス移動機構２５を駆動させてボックス載置部４３を所望のボックス２１の背面に最短距離で移動させることができる。所望のボックス２１の背面側にボックス載置部４３が位置した状態で、爪部４７を移動させてボックス２１を係止し、ボックス２１をボックス載置部４３上に移動させる。さらに、当該ボックス２１を薬剤ピッキング部１３の背面側まで移動させた後、爪部４７を装置前面側に押し出すように移動させることによりボックス２１を薬剤ピッキング部１３に載置する。
【００４４】
薬剤ピッキング部１３に所望のボックス２１が載置されると、薬剤ピッキング部１３の開閉カバー１４を開けて、薬剤を所定分量取り出し、トレイ載置台１９に置かれたトレイに薬剤を入れる。ここで、本実施形態では薬剤ピッキング部１３には２個のボックス２１が同時に載置可能になっているが、両方の開閉カバー１４を同時に開状態にすることができないようになっている。このように構成することで、薬剤を誤って処方するのを防止することができる。
【００４５】
また、薬剤ピッキング部１３に載置されたボックス２１は取り出すことができないように構成されている。このようにボックス２１を取り出し不可能にすることで、ボックス２１を容易に入れ換えたりすることができなくなり、薬剤の種類を誤って処方するのを防止することができる。
【００４６】
モニタ１５は、各種情報を表示するとともに、タッチパネル機能を有する表示装置であり、例えば、所望のボックス２１が選択されたこと、その選択されたボックス２１の薬剤の補充をすべきことの喚起、正しいボックス２１が選択され、かつそのボックス２１が薬剤ピッキング部１３に載置されたことの表示など様々なものが表示される。
【００４７】
ここで、薬剤の処方が終了すると、例えばモニタ１５に表示された「処方終了」の箇所をタッチすることにより、プリンタ１７からは患者の氏名や薬剤の種類および分量などからなる処方箋情報が印字された紙片７０が排出される。この紙片７０をトレイに入れておくことにより、トレイを見ただけでどの患者の薬剤かを即座に認識することができる。また、ボックス２１に収納されている薬剤が足りない場合や処方された薬剤が自動薬剤供給装置１０の収納部２３に収納されていない場合には、その旨紙片７０に書き込むようにすれば、薬剤の渡し忘れを防止することができる。
【００４８】
また、ボックス２１内の薬剤の量が所定量よりも少なくなった場合には、モニタ１５にその旨を表示して、薬剤を補充することを喚起する。薬剤の補充は、薬剤の処方中に行うことや、患者のいない時間帯などにモニタ１５からの操作により補充が必要なボックス２１を呼び出して補充することができる。また、薬剤を補充する際には、薬剤が入った箱などに付されているバーコードをバーコードリーダ６８で読み取り、読み取ったバーコードが補充する薬剤のバーコードか否かを判定する。補充する薬剤でない場合には警告を出すなどして、ボックス２１に対応した正しい薬剤を補充するように構成されている。
【００４９】
なお、ボックス２１内の薬剤の残量管理の方法としては、例えば、薬剤をボックス２１に補充する際に、何錠補充したかをモニタ１５から入力して薬剤情報把握部６４に記憶させる。そして、薬剤を必要分量だけ取り出すごとに当該薬剤の残量を減じ、予め設定した閾値よりも薬剤の残量が少なくなったときに薬剤を補充することを喚起するようにすればよい。
【００５０】
本実施形態によれば、患者ごとの処方箋情報をモニタ１５に表示することができるとともに、プリンタ１７から紙片７０としても得ることができる。したがって、処方箋情報が記載された紙片７０を処方された薬剤が入れられているトレイに入れておくことで、そのトレイがどの患者のものかを瞬時に認識することができる。つまり、いかなる場合も効率よく処方箋情報を認識することができる。
また、プリンタ１７をモニタ１５に併設することにより、モニタ１５を操作してプリンタ１７から出力される紙片７０をモニタ１５の前に居ながら取り出すことができる。つまり、作業効率を低下させることなく、紙片７０を取り出すことができる。
【００５１】
また、プリンタ１７をトレイ載置台１９の上方に配置したため、モニタ１５を操作してプリンタ１７から出力される紙片７０をモニタ１５の前に居ながら取り出すことができるとともに、その紙片７０を即座にトレイに入れることができる。つまり、作業効率を低下させることなく、紙片７０を取り出して、その紙片７０を該当する患者のトレイに確実に入れることができる。
【００５２】
また、紙片７０には、薬剤の名称および該薬剤が収納されたボックス２１の少なくともいずれか一方に対応したバーコード７５が印字されるように構成したため、例えば患者に処方した薬剤を渡す際に、ジェネリック薬剤に交換したいと要望された場合に、バーコード７５をリーダで読み取ることにより、処方した薬剤が収納されたボックス２１を自動的に選択して薬剤ピッキング部１３に搬送することができる。したがって、患者に渡さなくなった薬剤を元のボックス２１に戻す作業の作業効率を向上することができる。
【００５３】
また、紙片７０には、収納部２３に収納されていない未収納薬剤が処方箋に記載されている場合に、該未収納薬剤の情報が印字されるように構成したため、未収納薬剤の有無を紙片７０を見るだけで瞬時に確認することができる。したがって、未収納薬剤がある場合にも渡し忘れをすることなく、確実に患者に薬剤を処方することができる。
【００５４】
なお、薬剤を収納したボックス２１を全て装置前面側に配した構成にしたため、ボックス移動機構２５の自動運転が不可能になったときでも所望のボックス２１を容易に取り出すことができる。したがって、いかなる場合にも所望の薬剤を取り出すことができる。
【００５５】
また、収納部２３に配されるボックス２１の装置奥行方向の位置と、薬剤ピッキング部１３に配されるボックス２１の装置奥行方向の位置とが略同一の位置になるように配置構成したため、ボックス移動機構２５の構成を簡略化することができる。つまり、ボックス移動機構２５は、所定のボックス２１を収納部２３から引き出して、該ボックス２１を薬剤ピッキング部１３まで移動させて、ボックス２１を薬剤ピッキング部１３に載置させるだけでよい。したがって、一組のボックス移動機構２５により全てのボックス２１の出し入れおよび移動を行うことができる。また、ボックス移動機構２５の構成を簡略化することができるため、自動薬剤供給装置１０の省スペース化を図ることができる。
【００５６】
尚、本発明は、上述した実施形態に限定されるものではなく、本発明の趣旨を逸脱しない範囲において、上述した実施形態に種々の変更を加えたものを含む。すなわち、実施形態で挙げた具体的な形状や構成等は一例にすぎず、適宜変更が可能である。
例えば、上記実施形態では、薬剤ピッキング部に２個のボックスを載置できるように構成したが、１個のボックスだけ載置できるようにしてもよいし、３個以上のボックスを載置できるようにしてもよい。ただし、本実施形態のように２個のボックスを載置できるようにすることで、一方のボックスから薬剤を処方している最中に、ボックス移動機構を駆動させて他方のボックスの移動などをすることができるため作業効率を向上することができる。
また、薬剤ピッキング部およびトレイ載置台を撮像可能なＣＣＤカメラなどの撮像装置を設けてもよい。撮像装置により薬剤の処方作業を撮像することにより、作業状況を確認することができる。
さらに、上記実施形態では、モニタの直下にプリンタを配置した場合の説明をしたが、プリンタは例えばモニタの直近側方に配してもよい。つまり、モニタを操作して出力された紙片を効率よくトレイに入れることができるように構成されていればよい。
【符号の説明】
【００５７】
１０…自動薬剤供給装置  １３…薬剤ピッキング部  １５…モニタ（表示部）  １７…プリンタ（出力装置）  １９…トレイ載置台  ２１…ボックス  ２３…収納部  ２５…ボックス移動機構  ７０…紙片  ７５…バーコード（コード）
【図１】
2011078599.tif 000003
【図２】
2011078599.tif 000004
【図３】
2011078599.tif 000005
【図４】
2011078599.tif 000006
【図５】
2011078599.tif 000007
【図６】
2011078599.tif 000008
【図７】
2011078599.tif 000009
【図８】
2011078599.tif 000010
【図９】
2011078599.tif 000011